(57)【要約】【課題】電子機器装置本体の駆動源として用いられる電池の長寿命化を図り、低コストで簡便な手法で電池の寿命を高精度に推定することのできる電子機器装置を提供する。【解決手段】電子機器本体の駆動エネルギーを蓄えて該電子機器本体に電力供給するコンデンサと、常開（ノーマリー・オフ）型のスイッチを介して前記コンデンサに接続されて前記スイッチの閉成（オン）時に前記コンデンサを充電する電池と、前記コンデンサの端子電圧を検出して該端子電圧が予め設定した放電管理電圧まで低下したときに前記スイッチを閉成し、予め設定した充電時間が経過したときに前記スイッチを開成して前記コンデンサの充電を制御する電源制御部と、前記コンデンサの充電開始から所定の時間が経過した時点での前記コンデンサの端子電圧から前記電池の寿命を推定する電池寿命推定手段を備える。【選択図】      図１
2013236475.tif 000002
【特許請求の範囲】
【請求項１】
電子機器本体と、
この電子機器本体の駆動エネルギーを蓄えるコンデンサと、
常開型のスイッチを介して前記コンデンサに接続されて前記スイッチの閉成時に前記コンデンサを充電する電池と、
前記コンデンサの端子電圧を検出して前記スイッチの開閉を制御して前記コンデンサの充電を制御する電源制御部と
を具備したことを特徴とする電子機器装置。
【請求項２】
前記電子機器本体は、所定の周期で間欠運転されて前記コンデンサの充電エネルギーを駆動源として動作するセンサノードであって、
前記コンデンサは、電気二重層コンデンサからなる請求項１に記載の電子機器装置。
【請求項３】
前記電源制御部は、前記コンデンサの端子電圧が予め設定した放電管理電圧まで低下したときに前記スイッチを閉成して前記コンデンサを充電し、該コンデンサの充電時に前記コンデンサの端子電圧が予め設定した充電管理電圧に達したとき、または予め設定した充電時間が経過したときに前記スイッチを開成して前記コンデンサの充電を停止するものである請求項１に記載の電子機器装置。
【請求項４】
請求項１〜３のいずれかに記載の電子機器装置において、
更に前記コンデンサの充電開始から所定の時間が経過した時点での前記コンデンサの端子電圧から前記電池の寿命を推定する電池寿命推定手段を備えることを特徴とする電子機器装置。
【請求項５】
前記コンデンサの充電は、抵抗を介して行われるものであって、
前記電池寿命推定手段は、前記コンデンサの充電開始から、前記コンデンサの容量と前記抵抗の抵抗値とによって定まる該コンデンサの充電時定数に応じて決定される時間が経過した時点での前記コンデンサの端子電圧と、予め設定した電圧閾値とを比較して電池寿命を推定するものである請求項４に記載の電子機器装置。
【発明の詳細な説明】
【技術分野】
【０００１】
本発明は、電子機器本体の駆動源として用いられる電池の長寿命化を図ると共に、前記電池の寿命を簡易に推定することのできる電子機器装置に関する。
【背景技術】
【０００２】
種々の観測地点に設置されて温度や圧力、振動等の物理量を計測するノードセンサ（電子機器装置）は、一般的には電池を駆動源として用い、情報センタとの間で無線により情報通信するように構成される（特許文献１を参照）。またこの種のノードセンサにおいては電池の消費電力を抑制し、また電池に対する保守コストの低減を図るべく、例えば間欠動作させることも行われている。
【０００３】
ところで電池残量（電池容量）が低下したとき、電池の端子電圧が急激に低下すると言う電池特性に着目し、上述した電子機器装置（センサノード）に組み込まれた電池の寿命を判定することが行われている。また電池寿命を高精度に推定する手法として、例えば電池の電力依存性や環境温度を考慮して電池の端子電圧を判定したり、電子機器装置に組み込まれた電池と同じ特性（同一仕様）の電池を準備し、この電池を疑似負荷に接続して電流を流し、該電池の端子電圧を監視して電池寿命を推定することが提唱されている（例えば特許文献２を参照）。
【先行技術文献】
【特許文献】
【０００４】
【特許文献１】特開２０１１−５５１８６号公報
【特許文献２】特開２０１１−１４５９８６号公報
【発明の概要】
【発明が解決しようとする課題】
【０００５】
しかしながら特許文献２に紹介される電池寿命の推定手法においては、電池電圧および負荷電流をそれぞれ計測する手段が必要となる。しかも一般的には微弱な負荷電流の測定精度を高めるには高精度なハードウェア（ＡＤ変換器等）が必要となる。また前述したように疑似負荷を用いて電池寿命を推定する場合には、そのハードウェア構成が大掛かりになることが否めない。
【０００６】
本発明はこのような事情を考慮してなされたもので、その目的は、電子機器装置本体の駆動源として用いられる電池の長寿命化を図ることのできる電子機器装置を提供することにある。
【０００７】
また本発明は低コストで簡便な手法で電池の寿命を高精度に推定することができる電池寿命推定機能を備えた電子機器装置を提供することを目的としている。
【課題を解決するための手段】
【０００８】
上述した目的を達成するべく本発明に係る電子機器装置は、例えば所定の周期で間欠運転されるセンサノード等の電子機器本体と、この電子機器本体の駆動エネルギーを蓄えて該電子機器本体に電力供給する電気二重層コンデンサ等のコンデンサと、常開（ノーマリー・オフ）型のスイッチを介して前記コンデンサに接続されて前記スイッチの閉成（オン）時に前記コンデンサを充電する電池と、前記コンデンサの端子電圧を検出して前記スイッチの開閉を制御して前記コンデンサの充電を制御する電源制御部とを備えることを特徴としている。
【０００９】
好ましくは前記電源制御部は、前記コンデンサの端子電圧が予め設定した放電管理電圧まで低下したときに前記スイッチを閉成（オン）して前記コンデンサを充電し、該コンデンサの充電時に前記コンデンサの端子電圧が予め設定した充電管理電圧に達したとき、または予め設定した充電時間が経過したときに前記スイッチを開成（オフ）して前記コンデンサの充電を停止する。
【００１０】
また本発明に係る電子機器装置は、更に前記コンデンサの充電開始から所定の時間が経過した時点での前記コンデンサの端子電圧から前記電池の寿命を推定する電池寿命推定手段を備えることを特徴としている。
【００１１】
好ましくは前記コンデンサの充電は、抵抗を介して行われ、前記電池寿命推定手段は、前記コンデンサの充電開始から、前記コンデンサの容量と前記抵抗の抵抗値とによって定まる該コンデンサの充電時定数に応じて決定される時間が経過した時点で計測される前記コンデンサの端子電圧と、予め設定した電圧閾値とを比較して電池寿命を推定するように構成される。
【発明の効果】
【００１２】
上記構成の電子機器装置によれば、電子機器装置本体の駆動エネルギー源としてコンデンサに蓄積された充電エネルギーを用い、このコンデンサの充電エネルギーが低下したときに常開型のスイッチを介して前記コンデンサに接続された電池により前記コンデンサを充電するので、電池を連続使用することがなくなる。従って電池に休止期間を与え、休止期間における電池の化学的な自己復帰作用を利用して電池性能を回復させることができるので、連続使用に起因する電池性能の劣化を低減して電池寿命を延ばすことができる。
【００１３】
また充電時におけるコンデンサの端子電圧の変化に着目して該コンデンサを充電する電池の寿命を推定するので、電池寿命の推定手法自体が簡便であり、しかも低コストなハードウェアを用いて電池寿命を精度良く推定することができる。従って簡易に、且つ精度良く電池寿命を管理して電池の交換時期等を把握することが可能となる。
【図面の簡単な説明】
【００１４】
【図１】本発明の一実施形態に係る電子機器装置の全体構成を示す図。
【図２】図１に示す電子機器装置における電源制御部の概略構成を示す図。
【図３】図１に示す電子機器装置の動作を説明するための動作波形図。
【図４】図１に示す電子機器装置におけるコンデンサの充電制御と電池寿命の判定処理の手順を示す図。
【図５】電池性能（電池容量）に依存するコンデンサの充電特性を示す図。
【発明を実施するための形態】
【００１５】
以下、図面を参照して本発明の一実施形態に係る電子機器装置について説明する。
この電子機器装置１は、例えば図１にその概略構成を示すように様々な環境下、特に日常的に無人状態となる地域・場所に設置されて電池を駆動源として動作し、気象情報や監視対象の状態情報等を収集するセンサノードからなる。このセンサノード（電子機器装置）１は、上記気象情報や監視対象の状態情報等の監視データを、無線通信により管理センタ（図示せず）に通知する役割を担う。
【００１６】
前記センサノード１は、電池１１を内蔵し、ＤＣ・ＤＣコンバータ１２を介して前記電池１１の出力電圧を電圧変換した電力を駆動源として動作する。尚、図１において１３は前記管理センタとの間で無線通信する無線回路であり、１４は電子機器装置１の主体部をなす制御部である。前記電池１１は、基本的には前記無線回路１３および制御部１４からなる電子機器本体１０に電源（電力エネルギー）を供給して該電子機器本体１０を動作させる駆動エネルギー源としての役割を担う。
【００１７】
ここで電子機器本体１０の一部をなす前記制御部１４は、例えばマイクロプロセッサに組み込まれたソフトウェア機能として実現される無線通信部１５、通信制御部１６、および後述する電源制御部１７を備えると共に、上記マイクロプロセッサに電源を供給する内部電源部１８を備える。前記制御部１４は、前記通信制御部１６の制御・管理の下で各種のセンサ１９を用いて、例えば温度や湿度、その他の情報を検出（監視）し、その検出（監視）データを前記通信制御部１６から前記無線回路１３を介して前記管理センタに通知する役割を担う。
【００１８】
基本的には上述した如く構成されるセンサノード１において本発明が特徴とするところは、前記無線回路１３および前記制御部１４からなる電子機器本体１０と、前記電池１１および前記ＤＣ・ＤＣコンバータ１２からなる電池側との間に電源部２０を介装し、前記電池１１に代わって前記電源部２０から前記電子機器本体１０に対して駆動エネルギーを供給するように構成した点にある。換言すれは前記電子機器本体１０の駆動エネルギー源として、前記電池１１に代わる電源部２０を設けたことを特徴としている。
【００１９】
この電源部２０は、常開（ノーマリーオープン）型のスイッチ２１と、このスイッチ２１に直列に接続された抵抗２２と、この抵抗２２を介して前記スイッチ２１に接続されたコンデンサ２３とからなる。このコンデンサ２３は、例えば電気二重層コンデンサ等の大容量のものからなり、前記スイッチ２１および抵抗２２を直列に介して前記電池側の前記ＤＣ・ＤＣコンバータ１２の出力端に接続される共に、前記電子機器本体１０の電源端子に接続される。尚、前記常開（ノーマリーオープン）型のスイッチ２１は電磁式のリレーであっても良いが、ＭＯＳ−ＦＥＴやＩＧＢＴ等の半導体スイッチング素子であっても良い。
【００２０】
前記コンデンサ２３は、常時は前記スイッチ２１により電池側の前記ＤＣ・ＤＣコンバータ１２から切り離されているが、前記スイッチ２１の閉成（オン；導通）時には前記電池側に接続されて前記ＤＣ・ＤＣコンバータ１２からの出力電圧を受けて充電される。そして前記コンデンサ２３に充電された電力エネルギーは、前述した無線回路１３および制御部１４からなる電子機器本体１０に対して、その駆動エネルギーとして供給される。
【００２１】
換言すれば前記電子機器本体１０は、前記電源部２０によって前記ＤＣ・ＤＣコンバータ１２から切り離されており、前記ＤＣ・ＤＣコンバータ１２を介して得られる前記電池１１の出力を直接的な駆動エネルギー源として用いることに代えて、前記電池１１の出力（ＤＣ・ＤＣコンバータ１２の出力）を受けて充電される前記電源部２０のコンデンサ２３に蓄積された電力エネルギーを、該電源部２０から得られる駆動エネルギーとして用いて動作するように位置付けられている。
【００２２】
ところで前記スイッチ２１、抵抗２２、およびコンデンサ２３からなる電源部２０は、前述した電源制御部１７の制御を受けて前記スイッチ２１を閉成（オン；導通）駆動し、前記抵抗２２を介して前記コンデンサ２３を充電して前記電池１１からの電力エネルギーを蓄える。前記電源制御部１７は、例えば図２に示すように前記コンデンサ２３の端子電圧（充放電電圧）Ｖcを検出するＡＤ変換器２４と、前記スイッチ２１を閉成（オン；導通）駆動するスイッチ駆動回路２５と、前記ＡＤ変換器２４を介して検出された前記コンデンサ２３の端子電圧Ｖcに従って前記スイッチ駆動回路２５を作動させる制御プログラム２６を備える。
【００２３】
この制御プログラム２６は、前述したマイクロプロセッサに設定されるもので、基本的には前記コンデンサ２３の端子電圧Ｖcに応じて前記スイッチ２１を閉成（オン；導通）駆動する。具体的には前記制御プログラム２６は、前記コンデンサ２３の端子電圧Ｖcが予め設定した放電管理電圧Ｖoまで低下したときに前記スイッチ２１を閉成駆動して前記コンデンサ２３を充電し、また該コンデンサ２３の充電時に前記端子電圧Ｖcが予め設定した充電管理電圧Ｖhに達したときに前記スイッチ２１を開成（閉成駆動を解除）して前記コンデンサ２３の充電を停止する役割を担う。尚、予め設定した充電所要時間Ｔonが経過したとき、前記スイッチ２１を開成して前記コンデンサ２３の充電を停止するようにしても良い。
【００２４】
このように制御される前記スイッチ２１により、前述したように前記電子機器本体１０は、定常的には前記電源部２０によって前記ＤＣ・ＤＣコンバータ１２から切り離されている。そして前記コンデンサ２３を充電するときにだけ、前記ＤＣ・ＤＣコンバータ１２が前記電源部２０に接続される。従って前記電池１１は、前記コンデンサ２３の充電に供される期間以外は休止状態に保たれ、その連続使用から解放されている。
【００２５】
また更に前記制御プログラム２６は、前記コンデンサ２３の充電時における該コンデンサ２３の端子電圧Ｖcから前記電池１１の寿命を判定する電池寿命判定機能（電池寿命推定手段）を備える。この電池寿命判定機能は、前記コンデンサ２３の充電開始から所定の時間が経過した時点での前記コンデンサ２３の端子電圧Ｖcから、前記電池１１の性能が劣化して電池寿命に達したか否かを判定する。
【００２６】
具体的には前記電池寿命判定機能は、該コンデンサ２３の充電開始から予め設定した時間Ｔ1が経過した時点での前記コンデンサ２３の端子電圧Ｖc1と、予め設定した電圧閾値Ｖthとを比較して電池寿命を推定する。前記充電開始からの経過時間Ｔ1は、例えば前記コンデンサ２３の静電容量Ｃと前記抵抗２２の抵抗値Ｒとによって定まる前記コンデンサ２３の充電時定数τ（＝Ｒ・Ｃ）に相当する時間として設定される。そしてこの電池寿命判定機能により前記電池１１の寿命が尽きたと推定された場合、或いは前記電池１１の残された寿命期間が短いと推定された場合には警報が発せられると共に、その電池寿命情報が前記管理センタに通知される。
【００２７】
ここで前記電源制御部１７による制御の下での前記電源部２０の動作と、該電源部２０の前記スイッチ２１の閉成動作に伴う前記コンデンサ２３の端子電圧Ｖcの変化について図３を参照して説明する。
【００２８】
前記無線回路１３および前記制御部１４からなる電子機器本体１０は、例えば所定の周期Ｔs毎に一定時間Ｔcずつ間欠運転され、前記コンデンサ２３から電力エネルギーを得て動作する。上記周期Ｔsは前記センサノード１の監視対象によっても異なるが、例えば１時間として設定され、また前記間欠運転時間Ｔcは、例えば１分として設定される。従って前記センサノード１での消費電力（消費電流）は、図３に示すように電子機器本体１０の短時間（１分間）の間欠運転時にだけ、その動作に必要な駆動電力（消費電流Ｉt）となり、残りの休止期間は前記電子機器本体１０の微弱な待機電力（待機電流Ｉs）だけとなる。
【００２９】
この電子機器本体１０での消費電力（消費電流）は、前述したように前記コンデンサ２３に蓄積された（充電された）電力エネルギーによって賄われる。従って前記コンデンサ２３の端子電圧Ｖcは前記電子機器本体１０での電力消費に伴って、図３に示すように前記間欠運転時間Ｔc毎に所定量ずつ低下する。前記電源制御部１７における制御プログラム２６は、前記電子機器本体１０の間欠運転に伴って上述したように変化する前記コンデンサ２３の端子電圧Ｖcを監視（検出）して前記スイッチ２１を閉成（オン）駆動して前記コンデンサ２３を充電すると共に、前記電池１１の寿命を判定する。
【００３０】
図４は前記電源制御部１７における制御プログラム２６での前記コンデンサ２３の充電制御と電池寿命の判定処理の手順を示している。この判定処理について説明すると、前記電子機器本体１０の間欠運転時には、先ず前記ＡＤ変換器２４を介して前記コンデンサ２３の端子電圧Ｖcが検出される＜ステップＳ１＞。そして前記端子電圧Ｖcが前述した放電管理電圧Ｖoまで低下したか否か（Ｖc≦Ｖo）の判定が行われる＜ステップＳ２＞。
【００３１】
この判定処理によって前記端子電圧Ｖcが前記放電管理電圧Ｖoまで低下していないことが確認された場合には、前記電子機器本体１０を駆動するに十分な電力エネルギーが前記コンデンサ２３に残されていると判断して前記スイッチ２１の閉成（オン；導通）は行われず、従って前記コンデンサ２３の充電も行われない。このようなスイッチ２１の閉成制御の処理ルーチンにより、前記電池１１は前述した電子機器本体１０の間欠運転とは関係なく、定常的には該電子機器本体１０から切り離されて休止状態におかれる。
【００３２】
これに対して前記電子機器本体１０の間欠運転時に前記端子電圧Ｖcが前記放電管理電圧Ｖoまで低下したときには、前記制御プログラム２６の制御の下で前記スイッチ駆動回路２５が駆動されて前記スイッチ２１が閉成（オン；導通）され、前記コンデンサ２３の充電が開始される＜ステップＳ３＞。このコンデンサ２３の充電は、例えば前記端子電圧Ｖcが前記充電管理電圧Ｖhに達するまで、或いは予め設定された前記コンデンサ２３の充電所要時間Ｔonが経過するまで連続して行われる。
【００３３】
このようにして実行される前記コンデンサ２３の充電が開始されると、前記制御プログラム２６は図示しないタイマーを作動させて＜ステップＳ４＞、前記コンデンサ２３の充電時間（充電開始からの経過時間）を監視する＜ステップＳ５＞。そして予め設定した所定時間が経過した時点（経過時間Ｔ1）において前記コンデンサ２３の端子電圧Ｖc1を検出し、この所定時間Ｔ1の経過後における前記端子電圧Ｖc1を内部メモリ２７に記憶する＜ステップＳ６＞。
【００３４】
その後、前記充電開始からの経過時間が前記コンデンサ２３の充電所要時間Ｔonに達したか否かを判定し＜ステップＳ７＞、充電所要時間Ｔonに達した場合には前記コンデンサ２３が十分に充電されたと判断して前記スイッチ駆動回路２５による前記スイッチ２１の閉成（オン；導通）駆動を解除する＜ステップＳ８＞。この結果、常開型の前記スイッチ２１は開成状態に復帰し、これに伴って前記コンデンサ２３の充電が終了する。
【００３５】
しかる後、前記制御プログラム２６は、前述した如く内部メモリ２７に記憶した前記充電開始から所定時間が経過した時点（経過時間Ｔ1）での前記コンデンサ２３の端子電圧Ｖc1と予め設定した前記電圧閾値Ｖthと比較し＜ステップＳ９＞、該端子電圧Ｖc1が前記電圧閾値Ｖthに満たないとき（Ｖc1＜Ｖth）、これを前記電池１１の特性が劣化した、つまり電池寿命であるとして判定して警報（アラーム）を発する＜ステップＳ１０＞。尚、前記コンデンサ２３の端子電圧Ｖc1が前記電圧閾値Ｖthを上回る場合には、前記電池１１の性能劣化は認められない、つまり電池１１の残容量に十分な余裕があると判断して元の処理ルーチンに復帰する。
【００３６】
ところでコンデンサ２３の充電開始から所定時間（Ｔ1,Ｔ2）経過後における該コンデンサ２３の端子電圧（充電電圧）Ｖc1,Ｖc2は、前記電池１１の残容量（電池性能）に依存し、前記電池１１の残容量（電池性能）の低下（劣化）に伴って低下する。図５は前記電池１１の性能劣化に伴って変化する、前記コンデンサ２３の充電開始から間もない第１の時間Ｔ1が経過した時点での該コンデンサ２３の端子電圧（相対値）Ｖc1の変化と、前記コンデンサ２３を十分に充電し得ると見込まれる充電開始時から第２の時間Ｔ2（充電所要時間Ｔon）が経過した時点での前記コンデンサ２３の端子電圧（相対値）Ｖc2の変化と対比して示している。
【００３７】
具体的には図５の横軸は、新品の電池１１によりコンデンサ２３を充電したときの充電量（充電完了時の端子電圧）を１００％とし、電池性能の劣化（電池残容量の低下）に伴って変化する前記コンデンサ２３の充電完了時の端子電圧の相対値を示している。また図５の縦軸は前記新品の電池１１によるコンデンサ２３の充電完了時の端子電圧を１００％として、前記充電開始時から所定時間経過後における前記コンデンサ２３の端子電圧（相対値）の変化の割合を示している。尚、図５において特性Ａは充電開始時から第１の時間（Ｔ1＝τ）経過後の端子電圧Ｖ1（相対値）の変化の割合（比率）を、また特性Ｂは充電開始時から第２の時間（Ｔc2＝３τ）経過後の端子電圧Ｖ2（相対値）の変化の割合（比率）をそれぞれ示している。
【００３８】
この図５に示されるように、充電開始から間もない第１の時間（Ｔ1＝τ）経過後における、前記電池特性に依存する前記コンデンサ２３の端子電圧Ｖc1の変化の割合は、該コンデンサ２３が十分に充電されたと看做し得る充電開始から第２の時間（Ｔ2＝３τ）経過後における、前記電池特性に依存する前記コンデンサ２３の端子電圧Ｖc2の変化の割合よりも顕著である。
【００３９】
特にこの図５に示す例においては、電池特性の劣化に起因してコンデンサ２３の充電量が１００％から２０％まで低下したとき、第２の時間（Ｔ2＝３τ）経過後のコンデンサ２３の端子電圧Ｖc2の変化の割合が高々１％程度であるのに比べ、充電開始時から間もない前記第１の時間（Ｔ1＝τ）経過後のコンデンサ２３の端子電圧Ｖc1の前記電池特性に依存する変化の割合は５％にも及ぶ。
【００４０】
従って前述したようにコンデンサ２３の充電開始時から間もない前記第１の時間（Ｔ1＝τ）経過後における前記コンデンサ２３の端子電圧（充電電圧）に着目することで、該コンデンサ２３の充電に供される前記電池１１の性能劣化を精度良く捉えて該電池１１の寿命を高精度に推定することができる。しかも充電開始時から前記第１の時間（Ｔ1＝τ）経過後の端子電圧Ｖc1の電池性能に依存する変化の割合が大きいので、ビット数の少ない安価で簡易な構成のＡＤ変換器２４を用いた場合であっても、上記端子電圧Ｖcの変化を確実に捉えることができる。
【００４１】
以上のように本電子機器装置１においては、定常的には前記電池１１から切り離され、充電エネルギーが少なくなったときにスイッチ２１を介して前記電池１１からの電力エネルギーを受けて充電されるコンデンサ２３の充電時における端子電圧（充電電圧）Ｖcを検出して前記電池１１の性能劣化（電池寿命）を推定する。従って上述した電池寿命推定機能を備えた本電子機器装置１によれば、前記電池１１から前記無線回路１３および制御部１４からなる電子機器本体１０に流れる微弱な負荷電流を検出する必要がなく、また充電開始から比較的短時間が経過した時点で前記コンデンサ２３の端子電圧Ｖcの電池特性に依存する大きな変化を検出するので、簡易なハードウェア構成の下で高精度に電池寿命を推定することができる。
【００４２】
また上述した如く推定した前記電池１１の寿命の情報を、例えば前記無線回路１３を用いて管理センタに通知するようにすれば、本電子機器装置１から離れた管理センタにおいて該電子機器装置１に組み込まれた前記電池１１の性能を的確に把握することができる。更には前記管理センタにおいて性能の劣化した（寿命が尽きる）電池１１の交換を的確に指示することが可能となる等の効果が奏せられる。この場合、前記電子機器装置１のＩＤ情報、または電子機器装置１の設置位置に関する情報を前記電池１１の寿命情報と共に前記管理センタに通知することが望ましい。
【００４３】
尚、本発明は上述した実施形態に限定されるものではない。例えば前述した如く検出した充電開始から所定時間経過後の前記コンデンサ２３の端子電圧を前記管理センタに通知し、管理センタ側において前記電子機器装置（センサノード）１に組み込まれた電池１１の寿命を判定するようにシステム構成することも可能である。この場合、電子機器装置１の構成の更なる簡略化を図り、或いは電子機器装置１での処理負担を軽減することが可能となる。
【００４４】
またコンデンサ２３の充電開始からの互いに異なる経過時間（Ｔ1,Ｔ2〜Ｔn）における端子電圧（Ｖc1,Ｖc2〜Ｖcn）をそれぞれ検出し、これらの端子電圧を総合的に判定して前記電池１１の寿命を判定することも勿論可能である。更には電池寿命を推定する上での前述した端子電圧の判定基準となる電圧閾値Ｖthについては、前記電池１１の仕様（構成や種類等）や、前述したＤＣ・ＤＣコンバータ１２の入出力電圧仕様、更には前記無線回路１３および前記制御部１４からなる前記電子機器本体の負荷仕様（動作周期や消費電力等）に応じて予め設定しおけば十分である。
【００４５】
また電池寿命を推定する上での前記コンデンサ２３の端子電圧を検出するタイミング、つまり充電開始から経過時間についても、例えば前記電池１１の性能のみならず、前記コンデンサ２３の充電特性等を考慮して決定することも勿論可能である。その他、本発明はその要旨を逸脱しない範囲で種々変形して実施することができる。
【符号の説明】
【００４６】
１  電子機器装置（センサノード）
１０  電子機器本体
１１  電池
１２  ＤＣ・ＤＣコンバータ
１３  無線回路
１４  制御部
１５  無線通信部
１６  通信制御部
１７  電源制御部
１８  内部電源部
１９  センサ
２０  電源部
２１  スイッチ
２２  抵抗
２３  コンデンサ
２４  ＡＤ変換器
２５  スイッチ駆動回路
２６  制御プログラム
２７  内部メモリ
【図１】
2013236475.tif 000003
【図２】
2013236475.tif 000004
【図３】
2013236475.tif 000005
【図４】
2013236475.tif 000006
【図５】
2013236475.tif 000007